(57)【要約】【課題】誤挿入防止キーとキー溝を目視によって確認することなく、簡単に位置合わせをすることができる誤挿入防止機能を有するコネクタを提供することを目的とする。【解決手段】第１コネクタは、誤挿入防止キーを第２コネクタとの嵌合側に有し、第２コネクタは、誤挿入防止キーを案内する案内部を第１コネクタとの嵌合側に有する。案内部は、第１コネクタ側から前記第２コネクタ側に向かって螺旋状に延びるスロープと、スロープの第２コネクタ側の端部にキー受とを有する。第１コネクタと第２コネクタの嵌合時に、第１コネクタの誤挿入防止キーを第２コネクタのスロープに沿って案内し、第１コネクタと第２コネクタのいずれか一方若しくは両方を相手側のコネクタとの関係において回転させて、誤挿入防止キーをキー受へ案内する。【選択図】図１
2010118224.tif 000002
【特許請求の範囲】
【請求項１】
互いに嵌合可能な第１コネクタと第２コネクタの対から成り、
前記第１コネクタは、誤挿入防止キーを前記第２コネクタとの嵌合側に有し、
前記第２コネクタは、前記誤挿入防止キーを案内する案内部を前記第１コネクタとの嵌合側に有し、
前記案内部は、前記第１コネクタ側から前記第２コネクタ側に向かって螺旋状に延びるスロープと、前記スロープの前記第２コネクタ側の端部にキー受と、を有し、
前記第１コネクタと前記第２コネクタの嵌合時に、前記第１コネクタの前記誤挿入防止キーを前記第２コネクタの前記スロープに沿って案内することにより、前記第１コネクタと前記第２コネクタのいずれか一方若しくは両方を相手側のコネクタとの関係において回転させ、前記第１コネクタの前記第２コネクタに対する向きを調整して前記誤挿入防止キーを前記キー受へ案内し、その後、前記誤挿入防止キーを前記キー受に沿って案内することにより、前記第１コネクタを前記第２コネクタ側に接近させて前記第１コネクタのコンタクトと前記第２コネクタのコンタクトの接続を可能とすることを特徴とする誤挿入防止機能を有するコネクタ。
【請求項２】
前記スロープは、前記第１コネクタの回転方向において最大約１８０度の範囲に亘って前記キー受に終端する２つの部分として形成されている請求項１に記載のコネクタ。
【請求項３】
前記スロープは、前記第１コネクタの回転方向において最大約３６０度の範囲に亘って１つのスロープとして設けられている請求項１に記載のコネクタ。
【請求項４】
前記誤挿入防止キーは、前記第２コネクタとの嵌合側に傾斜若しくは円弧状の滑動推進部を有する請求項１乃至３のいずれかに記載のコネクタ。
【請求項５】
前記誤挿入防止キーはローラ状である請求項１乃至３のいずれかに記載のコネクタ。
【請求項６】
前記キー受は、前記第１コネクタと前記第２コネクタの嵌合方向に沿って前記第２コネクタ側に直線状に延びている請求項１乃至５のいずれかに記載のコネクタ。
【請求項７】
互いに嵌合可能な第１コネクタと第２コネクタの対から成るコネクタに用いる前記第１コネクタであって、
前記第１コネクタは、誤挿入防止キーを前記第２コネクタとの嵌合側に有し、
前記第２コネクタは、前記誤挿入防止キーを案内する案内部を前記第１コネクタとの嵌合側に有し、
前記案内部は、前記第１コネクタ側から前記第２コネクタ側に向かって螺旋状に延びるスロープと、前記スロープの前記第２コネクタ側の端部にキー受と、を有し、
前記第１コネクタと前記第２コネクタの嵌合時に、前記第１コネクタの前記誤挿入防止キーを前記第２コネクタの前記スロープに沿って案内することにより、前記第１コネクタと前記第２コネクタのいずれか一方若しくは両方を相手側のコネクタとの関係において回転させ、前記第１コネクタの前記第２コネクタに対する向きを調整して前記誤挿入防止キーを前記キー受へ案内し、その後、前記誤挿入防止キーを前記キー受に沿って案内することにより、前記第１コネクタを前記第２コネクタ側に接近させて前記第１コネクタのコンタクトと前記第２コネクタのコンタクトの接続を可能とすることを特徴とする誤挿入防止機能を有する、前記第１コネクタ。
【請求項８】
互いに嵌合可能な第１コネクタと第２コネクタの対から成るコネクタに用いる前記第２コネクタであって、
前記第１コネクタは、誤挿入防止キーを前記第２コネクタとの嵌合側に有し、
前記第２コネクタは、前記誤挿入防止キーを案内する案内部を前記第１コネクタとの嵌合側に有し、
前記案内部は、前記第１コネクタ側から前記第２コネクタ側に向かって螺旋状に延びるスロープと、前記スロープの前記第２コネクタ側の端部にキー受と、を有し、
前記第１コネクタと前記第２コネクタの嵌合時に、前記第１コネクタの前記誤挿入防止キーを前記第２コネクタの前記スロープに沿って案内することにより、前記第１コネクタと前記第２コネクタのいずれか一方若しくは両方を相手側のコネクタとの関係において回転させ、前記第１コネクタの前記第２コネクタに対する向きを調整して前記誤挿入防止キーを前記キー受へ案内し、その後、前記誤挿入防止キーを前記キー受に沿って案内することにより、前記第１コネクタを前記第２コネクタ側に接近させて前記第１コネクタのコンタクトと前記第２コネクタのコンタクトの接続を可能とすることを特徴とする誤挿入防止機能を有する、前記第２コネクタ。
【発明の詳細な説明】
【技術分野】
【０００１】
本願発明は、誤挿入防止機能を有するコネクタに関する。
【背景技術】
【０００２】
誤挿入防止機能を有する従来のコネクタの一例が、特開２００１−２６７００６号公報に開示されている。この従来例では、互いに嵌合可能な一方のコネクタに誤挿入防止キーを設け、他方のコネクタにキー溝を設け、一方のコネクタと他方のコネクタが所定の向きで位置合わせされた場合にのみ、誤挿入防止キーがキー溝を通過し、その内部へ挿入されて、それらを所定の向きで嵌合させることができるようになっている。
【０００３】
しかしながら、このような従来構成では、誤挿入防止キーとキー溝を位置合わせするために、例えば、位置合わせのためのマーキングをコネクタに付加し、これを目視しつつ、一方のコネクタを他方のコネクタに対して回転させながらそれらの位置を合わせるようになっており、この結果、暗闇や、装置裏側での操作等、作業状況によっては目視が困難或いは不可能とされる場合もあり、嵌合作業をスムーズに行うことが難しいことも多かった。
【０００４】
【特許文献１】特開２００１−２６７００６号公報
【発明の開示】
【発明が解決しようとする課題】
【０００５】
本願発明は、このような従来技術における問題点を解決するためになされたものであり、誤挿入防止キーとキー溝を目視によって確認することなく、それらを簡単に位置合わせすることができる誤挿入防止機能を有したコネクタを提供することを目的とする。
【課題を解決するための手段】
【０００６】
本願発明は、互いに嵌合可能な第１コネクタと第２コネクタの対から成り、前記第１コネクタは、誤挿入防止キーを前記第２コネクタとの嵌合側に有し、前記第２コネクタは、前記誤挿入防止キーを案内する案内部を前記第１コネクタとの嵌合側に有し、前記案内部は、前記第１コネクタ側から前記第２コネクタ側に向かって螺旋状に延びるスロープと、前記スロープの前記第２コネクタ側の端部にキー受と、を有し、前記第１コネクタと前記第２コネクタの嵌合時に、前記第１コネクタの前記誤挿入防止キーを前記第２コネクタの前記スロープに沿って案内することにより、前記第１コネクタと前記第２コネクタのいずれか一方若しくは両方を相手側のコネクタとの関係において回転させ、前記第１コネクタの前記第２コネクタに対する向きを調整して前記誤挿入防止キーを前記キー受へ案内し、その後、前記誤挿入防止キーを前記キー受に沿って案内することにより、前記第１コネクタを前記第２コネクタ側に接近させて前記第１コネクタのコンタクトと前記第２コネクタのコンタクトの接続を可能とする誤挿入防止機能を有するコネクタを特徴としている。
【０００７】
また、上記コネクタにおいて、前記スロープは、前記第１コネクタの回転方向において最大約１８０度の範囲に亘って前記キー受に終端する２つの部分として形成されていてもよい。
【０００８】
更に、上記コネクタにおいて、前記スロープは、前記第１コネクタの回転方向において最大約３６０度の範囲に亘って１つのスロープとして設けられていてもよい。
【０００９】
また、上記コネクタにおいて、前記誤挿入防止キーは、前記第２コネクタとの嵌合側に傾斜若しくは円弧状の滑動推進部を有していてもよい。
【００１０】
更に、上記コネクタにおいて、前記誤挿入防止キーはローラ状であってもよい。
【００１１】
更に、上記コネクタにおいて、前記キー受は、前記第１コネクタと前記第２コネクタの嵌合方向に沿って前記第２コネクタ側に直線状に延びていてもよい。
【００１２】
本発明はまた、互いに嵌合可能な第１コネクタと第２コネクタの対から成るコネクタに用いる前記第１コネクタであって、前記第１コネクタは、誤挿入防止キーを前記第２コネクタとの嵌合側に有し、前記第２コネクタは、前記誤挿入防止キーを案内する案内部を前記第１コネクタとの嵌合側に有し、前記案内部は、前記第１コネクタ側から前記第２コネクタ側に向かって螺旋状に延びるスロープと、前記スロープの前記第２コネクタ側の端部にキー受と、を有し、前記第１コネクタと前記第２コネクタの嵌合時に、前記第１コネクタの前記誤挿入防止キーを前記第２コネクタの前記スロープに沿って案内することにより、前記第１コネクタと前記第２コネクタのいずれか一方若しくは両方を相手側のコネクタとの関係において回転させ、前記第１コネクタの前記第２コネクタに対する向きを調整して前記誤挿入防止キーを前記キー受へ案内し、その後、前記誤挿入防止キーを前記キー受に沿って案内することにより、前記第１コネクタを前記第２コネクタ側に接近させて前記第１コネクタのコンタクトと前記第２コネクタのコンタクトの接続を可能とする誤挿入防止機能を有する、前記第１コネクタを特徴としている。
【００１３】
更に、本発明は、互いに嵌合可能な第１コネクタと第２コネクタの対から成るコネクタに用いる前記第２コネクタであって、前記第１コネクタは、誤挿入防止キーを前記第２コネクタとの嵌合側に有し、前記第２コネクタは、前記誤挿入防止キーを案内する案内部を前記第１コネクタとの嵌合側に有し、前記案内部は、前記第１コネクタ側から前記第２コネクタ側に向かって螺旋状に延びるスロープと、前記スロープの前記第２コネクタ側の端部にキー受と、を有し、前記第１コネクタと前記第２コネクタの嵌合時に、前記第１コネクタの前記誤挿入防止キーを前記第２コネクタの前記スロープに沿って案内することにより、前記第１コネクタと前記第２コネクタのいずれか一方若しくは両方を相手側のコネクタとの関係において回転させ、前記第１コネクタの前記第２コネクタに対する向きを調整して前記誤挿入防止キーを前記キー受へ案内し、その後、前記誤挿入防止キーを前記キー受に沿って案内することにより、前記第１コネクタを前記第２コネクタ側に接近させて前記第１コネクタのコンタクトと前記第２コネクタのコンタクトの接続を可能とする誤挿入防止機能を有する、前記第２コネクタを特徴としている。
【発明を実施するための最良の形態】
【００１４】
以下、添付図面を参照しつつ、本願発明の好適な実施形態について説明する。
【００１５】
図１に、本願発明の第一の実施形態によるコネクタ１０Ａの概略斜視図を示す。このコネクタ１０Ａは、互いに嵌合可能な挿入側コネクタ３０Ａと受け側コネクタ６０Ａの対から成る。
【００１６】
挿入側コネクタ３０Ａの先端側には、使用時に、ケーブル等（図示されていない）を取付ける。ケーブルは、取付孔３５Ａを通じて、挿入側コネクタ３０Ａと受け側コネクタ６０Ａの嵌合方向（図示矢印「ア」方向）に沿って配置される。
【００１７】
挿入側コネクタ３０Ａの後端側、即ち、受け側コネクタ６０Ａとの嵌合側には、円筒状のコンタクト部５０Ａが設けてある。コンタクト部５０Ａの中心位置には、嵌合方向「ア」に延びる棒状の複数のコンタクトが並置される（後述する図４、図５に示したコンタクト９０Ｂ’、９０Ｃと同様のものと考えてよい）。並置された各コンタクトは、先端側に取付けたケーブルと電気的に接続され得る。また、コンタクト部５０Ａの外面５２Ａには、挿入側コネクタ３０Ａと受け側コネクタ６０Ａの嵌合時に、受け側コネクタ６０Ａの案内部８０Ａと協働し得るような、誤挿入防止キー３１Ａが設けられている。これについては、以下で詳述する。更に、コンタクト部５０Ａの外周、別言すれば、挿入側コネクタ３０Ａのコンタクトや誤挿入防止キー３１Ａの外周は、円筒状の保護壁５３Ａによって覆われる。尚、図１では、便宜上、コンタクト部５０Ａが図面に明確に現れるよう、保護壁５３Ａの一部を取り除いた状態で示されているが、実際には、保護壁５３Ａは、コンタクト部５０Ａの外周を連続的に覆うものと考えてよい。
【００１８】
自由に取付、取外可能な挿入側コネクタ３０Ａと異なり、受け側コネクタ６０Ａは、装置等（図示されていない）に固定して使用される。受け側コネクタ６０Ａの後端側には、受け側コネクタ６０Ａを固定するためのフランジ６４Ａが設けてある。受け側コネクタ６０Ａは、このフランジ６４Ａ等を利用して、装置（図示されていない）の壁面に沿ってネジ固定等され得る。但し、必ずしも固定する必要はなく、例えば、固定することなしに、中継コネクタとして用いることもできる。
【００１９】
受け側コネクタ６０Ａの先端側、即ち、挿入側コネクタ３０Ａとの嵌合側には、円筒状の案内部８０Ａが設けられている。この案内部８０Ａには、挿入側コネクタ３０Ａ側から受け側コネクタ６０Ａ側に向かって螺旋状に延びる環状の嵌合誘いスロープ６２Ａと、嵌合誘いスロープ６２Ａの受け側コネクタ６０Ａ側の端部６６Ａから嵌合方向「ア」に沿って受け側コネクタ６０Ａ側に直線状に延びるキー受、例えば溝（スリット）状のキー溝（嵌合位置決溝）６５Ａが含まれる。案内部８０Ａは、挿入側コネクタ３０Ａと受け側コネクタ６０Ａの嵌合時に、挿入側コネクタ３０Ａのコンタクト部５０Ａと保護壁５３Ａの間に形成された円筒状の隙間に挿入され、この際、案内部８０Ａに設けた嵌合誘いスロープ６２Ａとキー溝６５Ａを利用して、誤挿入防止キー３１Ａを、３１Ａ1、３１Ａ2、３１Ａ3等に二点鎖線で示した位置に順次案内する。尚、嵌合誘いスロープ６２Ａは、この実施形態では、挿入側コネクタ３０Ａの回転方向において最大約１８０度の範囲に亘る２つ部分６２Ａ−１、６２Ａ−２として形成されており、これらの部分は、最終的に、１つのキー溝６５Ａに終端し得る。このため、誤挿入防止キー３１Ａは、いずれの部分６２Ａ−１、６２Ａ−２によっても、同一のキー溝６５Ａに案内され、また、最大でも１８０度といった、より少ない移動距離でキー溝６５Ａに案内され得る。
【００２０】
案内部８０Ａの中心に、挿入側コネクタ３０Ａ側のコンタクトに対応して、筒状の複数のコンタクト挿入部９３Ａが配置されている。コンタクト挿入部９３Ａは、挿入側コネクタ３０Ａとの嵌合側に延び、且つ、コンタクト９０Ａの一部を形成し得る。挿入側コネクタ３０Ａと受け側コネクタ６０Ａの嵌合時には、コンタクト挿入部９３Ａに設けたそれぞれのコンタクト穴９２Ａに、挿入側コネクタ３０Ａに設けた棒状のコンタクトが挿入され、コンタクト接続がなされる。これらを電気的に接続することにより、ケーブルと装置は、これらのコンタクトの接続を通じて互いに電気的に接続され得る。
【００２１】
以下に、挿入側コネクタ３０Ａの誤挿入防止キー３１Ａと、受け側コネクタ６０Ａのキー溝６５Ａの働きについて、より詳細に説明する。例えば、挿入側コネクタ３０Ａと受け側コネクタ６０Ａの嵌合方向に沿って、挿入側コネクタ３０Ａを受け側コネクタ６０Ａ側に接近させた場合、挿入側コネクタ３０Ａの受け側コネクタ６０Ａに対する向きによっては、挿入側コネクタ３０Ａに設けた誤挿入防止キー３１Ａが、受け側コネクタ６０Ａに設けた嵌合誘いスロープ６２Ａの面６３Ａと衝突し、挿入側コネクタ３０Ａと受け側コネクタ６０Ａの嵌合が妨げられてしまう。しかしながら、この場合でも、誤挿入防止キー３１Ａが、面６３Ａ上をスライドし、例えば、便宜上示した誤挿入防止キー３１Ａ1の位置から誤挿入防止キー３１Ａ2の位置へ受け側コネクタ６０Ａの嵌合誘いスロープ６２Ａに沿って案内されることにより、挿入側コネクタ３０Ａが受け側コネクタ６０Ａに対して回転することから、挿入側コネクタ３０Ａの受け側コネクタ６０Ａに対する向きが調整され、誤挿入防止キー３１Ａはキー溝６５Ａへ適当に案内される。尚、当然のことであるが、必ずしも挿入側コネクタ３０Ａが受け側コネクタ６０Ａに対して回転しなければならないわけではなく、受け側コネクタ６０Ａが挿入側コネクタ３０Ａに対して回転するものであってもよい。要するに、相手側のコネクタとの関係においていずれか一方若しくは両方が回転されればよい。その後、同様に便宜上示した誤挿入防止キー３１Ａ3に示すように、誤挿入防止キー３１Ａをキー溝６５Ａに沿って案内して、挿入側コネクタ３０Ａを受け側コネクタ６０Ａ側に更に接近させることにより、挿入側コネクタ３０Ａに設けた棒状のコンタクトは、受け側コネクタ６０Ａのコンタクト挿入部９３Ａのコンタクト穴９２Ａに挿入され、挿入側コネクタ３０Ａのコンタクトと受け側コネクタ６０Ａのコンタクト９０Ａが適当に接続される。このように、本願発明の構成によれば、嵌合挿入時に、誤挿入防止キー３１Ａがいかなる位置にあっても、案内部８０Ａの働きによってそれを適当な位置に案内することができるため、ユーザは挿入側コネクタ３０Ａと受け側コネクタ６０Ａの向きを気にすることなく、また、誤挿入防止キー３１Ａとキー溝６５Ａを目視によって確認することなく、単に、挿入側コネクタ３０Ａと受け側コネクタ６０Ａを互いに接近させるといった単純な作業で、容易に、それらを嵌合させることができる。尚、誤挿入防止キー３１Ａの先端を、例えば、傾斜状（図示のように鋭角状としてもよいし鈍角状としてもよい）３３Ａ、或いは、円弧状（図示されていない）の滑動推進部とすることによって、スライドをより滑らかにすることもできる。
【００２２】
次いで、図１に示した第一の実施形態の変形例、及び、他の実施形態を説明する。尚、これらの変形例及び他の実施形態における基本動作は、上に説明した第一の実施形態と同じものと考えてよい。
【００２３】
図２は、図１に示した受け側コネクタ６０Ａの変形例６０Ａ’である。便宜上、図１に示した部材と同様の部材には、同じ参照番号に「Ａ’」を付している。挿入側コネクタについては、特に図示していないが、図１に示した挿入側コネクタ３０Ａと同様のものと考えてよい。
この変形例６０Ａ’では、特に、第一の実施形態と異なり、嵌合誘いスロープ６２Ａ’が１つのみとされている。この１つの嵌合誘いスロープ６２Ａ’は、案内部８０Ａ’の内面に、挿入側コネクタ３０Ａの回転方向において最大約１８０度の範囲に亘って設けてある。故に、第一の実施形態と異なり、誤挿入防止キー３１Ａは、嵌合誘いスロープ６２Ａ’を設けた部分においてのみ、キー溝６５Ａ’へ案内される。また、この変形例６０Ａ’では、コンタクト挿入部９３Ａ’が筒状ではなく円柱状（後述する図３に示したコンタクト挿入部９３Ｂと同様のものと考えてよい）等とされており、この円柱状体に複数のコンタクト穴９２Ａ’を設けることとされている。尚、挿入側コネクタ３０Ａと受け側コネクタ６０Ａ’の嵌合時には、円筒状のコンタクト部５０Ａが、コンタクト挿入部９３Ａ’と案内部８０Ａ’の間に形成された隙間に挿入され得る。
【００２４】
図３に、図１と同様の方法で、本願発明の第二の実施形態によるコネクタ１０Ｂの概略斜視図を示す。便宜上、図１に示した部材と同様の部材には、同じ参照番号に「Ｂ」を付している。
この第二の実施形態では、第一の実施形態と同様に、嵌合誘いスロープ６２Ｂを２つ設けており、この１つの嵌合誘いスロープ６２Ｂは、挿入側コネクタ３０Ｂの回転方向において最大約１８０度の範囲に亘って設けられている。一方、第二実施形態では、第一の実施形態と異なり、誤挿入防止キー３１Ｂが、円筒状のコンタクト部５０Ｂの外面ではなく、内面５１Ｂに設けられており、また、案内部８０Ｂの内部に、円柱状のコンタクト挿入部９３Ｂが設けられており、更に、コンタクト挿入部９３Ｂの外周、即ち、受け側コネクタ６０Ｂのコンタクトや案内部８０Ｂが、円筒状の保護壁９１Ｂによって覆われている。挿入側コネクタ３０Ｂと受け側コネクタ６０Ｂの嵌合時には、受け側コネクタ６０Ｂの円柱状のコンタクト挿入部９３Ｂが、挿入側コネクタ３０Ｂの円筒状のコンタクト部５０Ｂの内部に挿入されるとともに、コンタクト部５０Ｂの内面に設けられた誤挿入防止キー３１Ｂが、鋭角部３３Ｂにおける接触を通じて、コンタクト挿入部９３Ｂの外周に設けた案内部８０Ｂによって案内され得る。更に、受け側コネクタ６０Ｂの保護壁９１Ｂは、挿入側コネクタ３０Ｂのコンタクト部５０Ｂと保護壁５３Ｂの間に形成された隙間に挿入され得る。
【００２５】
図４に、図３に示した受け側コネクタ６０Ｂの変形例６０Ｂ’を示す。便宜上、図３に示した部材と同様の部材には、同じ参照番号に「Ｂ’」を付している。挿入側コネクタについては、特に図示していないが、図３に示した挿入側コネクタ３０Ｂと同様のものと考えてよい。
この変形例６０Ｂ’では、図３の実施形態と異なり、コンタクト挿入部９３Ｂを取り除かれた形状とされており、また、嵌合誘いスロープ６２Ｂ’が、挿入側コネクタ３０Ｂの回転方向において最大約３６０度の範囲に亘って１つのスロープとして設けられている。この結果、誤挿入防止キー３１Ｂは、最大約３６０度にわたって案内されることになり、これに伴い、挿入側コネクタ３０Ｂも、受け側コネクタ６０Ｂ’に対して、最大約３６０度回転させられることになる。尚、図４の受け側コネクタ６０Ｂ’では、端子が挿入側コネクタ３０Ｂとの嵌合側に延びた複数の棒状のコンタクトとして形成されているため、これに対応して、挿入側コネクタ３０Ｂの端子は、例えば、図３に示した円柱状のコンタクト挿入部９３Ｂとする必要がある。
【００２６】
図５に、図１と同様の方法で、本願発明の第三の実施形態によるコネクタ１０Ｃの概略斜視図を示す。便宜上、図１に示した部材と同様の部材には、同じ参照番号に「Ｃ」を付している。
この第三の実施形態では、第一の実施形態と同様に、誤挿入防止キー３１Ｃはコンタクト部５０Ｃの外面５２Ｃに設けられているが、これをローラ状としている点で異なる。このローラ状の誤挿入防止キー３１Ｃは、コンタクト部５０Ｃと保護壁５３Ｃにまたがる軸３２Ｃに回転可能に軸支されている。ローラ状としたことにより、誤挿入防止キー３１Ｃは、より滑らかに嵌合誘いスロープ６２Ｃの面６３Ｃ上をスライドし得る。また、この第三の実施形態では、第一の実施形態と同様に、嵌合誘いスロープ６２Ｃが、挿入側コネクタ３０Ｃの回転方向において最大約１８０度の範囲に亘る２つの部分６２Ｃ−１、６２Ｃ−２として形成されている。更に、この第三の実施形態では、図３の実施形態や図４の変形例と同様に、受け側コネクタ６０Ｃ側に保護壁９１Ｃが形成されている。
【００２７】
明らかなように、本願発明の構成には様々な変更が可能であるが、これらの変更内容は全て本願発明の範囲に含まれる。例えば、図示実施形態では、円筒形状の丸型コネクタを例示したが、本願発明は、このような丸型コネクタに限定されるものではない。尚、その構造からも明らかなように、本願発明は、光コネクタ、電気コネクタ等、コンタクトも単芯から多芯まで、様々なタイプのコネクタに応用可能である。
【図面の簡単な説明】
【００２８】
【図１】本発明の第一の実施形態によるコネクタの概略斜視図である。
【図２】図１に示した受け側コネクタの変形例を示す図である。
【図３】本発明の第二の実施形態によるコネクタの概略斜視図である。
【図４】図３に示した受け側コネクタの変形例を示す図である。
【図５】本発明の第三の実施形態によるコネクタの概略斜視図である。
【符号の説明】
【００２９】
１０  コネクタ
３０  挿入側コネクタ（第１コネクタ）
３１  誤挿入防止キー
３２  軸
３３  鋭角部
３５  取付孔
５０  コンタクト部
５１  内面
５２  外面
５３  保護壁
６０  受け側コネクタ（第２コネクタ）
６２  嵌合誘いスロープ
６３  面
６４  フランジ
６５  キー溝（キー受）
６６  端部
８０  案内部
９０  コンタクト
９１  保護壁
９２  コンタクト穴
９３  コンタクト挿入部
【図１】
2010118224.tif 000003
【図２】
2010118224.tif 000004
【図３】
2010118224.tif 000005
【図４】
2010118224.tif 000006
【図５】
2010118224.tif 000007